(57)【要約】  本発明は、巻取り機において糸を巻き取る巻取りスピンドルに関する。そのために巻取りスピンドルは、複数の巻管を収容する、長く突出する少なくとも１つのチャック（３）を有しており、このときチャック（３）は、中空支持体（１１）内に支持された、複数部分から成る駆動軸（７）によって駆動可能である。駆動軸（７）は、互いに連結されている後ろ側の軸受軸（７.２）と前側の軸受軸（７.１）とを有している。後ろ側の軸受軸（７.２）は、カップリング端部を介して駆動装置に連結可能であり、かつ前側の軸受軸（７.１）は、チャック（３）に回動不能に結合されている。前側の軸受軸（７.１）の設計強度を高めるためおよび簡単な取付けを可能にするために、本発明によれば、前側の軸受軸（７.１）は、フランジ結合部（６）を介してチャック（３）に結合されている。
2018510105.tif 000002
【特許請求の範囲】
【請求項１】
巻取り機において糸を複数のパッケージに巻き取る巻取りスピンドルであって、前記パッケージを収容する、長く突出する少なくとも１つのチャック（３）を有しており、該チャック（３）は、中空円筒形の中空支持体（１１）内に支持された、複数部分から成る駆動軸（７）によって駆動可能であり、該駆動軸（７）は、後ろ側の軸受軸（７.２）によって駆動装置に連結可能であり、前記駆動軸（７）は、前記後ろ側の軸受軸（７.２）に結合された前側の軸受軸（７.１）によって、前記チャック（３）に回動不能に結合されている、巻取りスピンドルにおいて、前記前側の軸受軸（７.１）と前記チャック（３）とは、フランジ結合部（６）によって互いに結合されていることを特徴とする、巻取りスピンドル。
【請求項２】
前記フランジ結合部（６）は、前記前側の軸受軸（７.１）の軸ステム（１８）と前記チャック（３）のハブフランジ（１９）との間に形成されている、請求項１記載の巻取りスピンドル。
【請求項３】
前記軸ステム（１８）は、前記軸受軸（７.１）に対して横方向に方向付けられた当接面（２０）を有しており、該当接面（２０）は、前記チャック（３）の前記ハブフランジ（１９）における対応面（２１）と共に合わせ面（２２）を形成している、請求項２記載の巻取りスピンドル。
【請求項４】
前記合わせ面（２２）は、前記軸ステム（１８）と前記ハブフランジ（１９）との間においてリング形状に形成されており、前記軸受軸（７.１）の前記軸ステム（１８）と前記チャック（３）の前記ハブフランジ（１９）とは、前記合わせ面（２２）を貫通する複数のねじ（２３）によって互いに結合されている、請求項３記載の巻取りスピンドル。
【請求項５】
前記合わせ面（２２）は、前記軸ステム（１８）と前記ハブフランジ（１９）との間においてリング形状の凹部（４２）を有しており、前記軸受軸（７.１）の前記軸ステム（１８）と前記チャック（３）の前記ハブフランジ（１９）とは、前記合わせ面（２２）の中心を貫通する１つのねじ（２３）によって互いに結合されている、請求項３記載の巻取りスピンドル。
【請求項６】
前記軸ステム（１８）は、前記前側の軸受軸（７.１）の軸シャンク（２４）の大径部によって形成されている、請求項２から５までのいずれか１項記載の巻取りスピンドル。
【請求項７】
前記前側の軸受軸（７.１）の支持部（８.１）が、軸受ブシュ（１２.１）の内部に形成されており、前記軸受ブシュ（１２.１）の、互いに反対側に位置する端部領域に、前記中空支持体（１１）に支持された複数のスリーブ緩衝リング（１４.１，１４.２）が保持されている、請求項１から６までのいずれか１項記載の巻取りスピンドル。
【請求項８】
前記後ろ側の軸受軸（７.２）の支持部（８.２）が、軸受ブシュ（１２.２）の内部に形成されており、前記軸受ブシュ（１２.２）の、互いに反対側に位置する端部領域に、前記中空支持体（１１）に支持された複数のスリーブ緩衝リング（１７.１，１７.２）が保持されている、請求項１から７までのいずれか１項記載の巻取りスピンドル。
【請求項９】
前記スリーブ緩衝リング（１４.１，１４.２，１７.１，１７.２）のそれぞれが、内側スリーブ（３２）と、該内側スリーブ（３２）を間隔をおいて取り囲む外側スリーブ（３３）とから形成されており、前記内側スリーブ（３２）と前記外側スリーブ（３３）とは、ゴムエレメント（３４）によって互いに弾性的に結合されている、請求項７または８記載の巻取りスピンドル。
【請求項１０】
前記前側の軸受軸（７.１）と前記後ろ側の軸受軸（７.２）とは、前記中空支持体（１１）の内部における複数の曲げ弾性的なカップリング（９.１，９.２）を介して、中間軸（７.３）に結合されている、請求項１から９までのいずれか１項記載の巻取りスピンドル。
【請求項１１】
少なくとも１つのカップリング（９.１，９.２，９）が設けられており、該カップリング（９.１，９.２，９）は、複数のクランプエレメント（２６.１，２６.２）によって、前記軸（７.１，７.２，７.３）の、互いに向かい合って位置する軸端部（３０.１，３０.２）に結合されている、請求項１から１０までのいずれか１項記載の巻取りスピンドル。
【発明の詳細な説明】
【技術分野】
【０００１】
本発明は、請求項１の前提部に記載した、糸を複数のパッケージに巻き取る巻取りスピンドルに関する。
【０００２】
このような形式の巻取りスピンドルは、例えば独国特許出願公開第１９５４８１４２号明細書（DE 195 48 142 A1）から公知である。
【０００３】
公知の巻取りスピンドルは、巻取り機において複数の糸をパッケージに並行に巻き取るために使用される。そのために巻取りスピンドルは、スピンドル支持体に突出するように配置されており、このとき巻取りスピンドルの突出する部分は、巻管を収容および固定するチャックとして形成されている。チャックは、中空円筒形に形成されていて、ハブを介して、巻取りスピンドルの内部に配置された駆動軸に結合されている。駆動軸は、中空円筒形の中空支持体内に支持されており、このとき中空支持体は、チャックの内部に進入している。
【０００４】
複数のパッケージを収容するためには、相応に長く突出するチャックが必要であるので、駆動軸は、スピンドル支持体に配置された駆動装置を結合するために、比較的大きな長さを有することが必要である。このときに顧慮すべきことは、チャックは、パッケージ重量の増大時に下降し、これによって駆動軸の曲げ荷重が生ぜしめられるということである。チャックの下降に追従できるようにするために、駆動軸は複数部分から形成されており、このとき前側の軸受軸はチャックに結合されていて、かつ後ろ側の軸受軸は駆動装置に結合されている。チャックと前側の軸受軸との間における結合は、公知の軸・ハブ結合部によって行われ、このときチャックのハブは、プレス結合によって、前側の軸受軸の軸端部に結合されている。しかしながら、通常焼嵌めによって形成されるプレス結合は、接合直径に応じて、駆動軸の強度を損なってしまう。特に、長く突出するチャックでは、パッケージ重量に基づいて高い回転曲げモーメントが発生し、このような回転曲げモーメントは、軸・ハブ結合部を介して駆動軸によって受け止められねばならない。したがって、今日汎用のチャックは、該チャックの長さおよび駆動軸の強度に関して制限されている。したがって、回転曲げモーメントのための有効なてこ腕を可能な限り小さく保つために、チャックと軸受軸との間における焼嵌め部を、可能な限り支持部の近くに配置することが必要である。さらに、焼嵌め結合によって減じられる、軸受軸の設計強度を、設計時に考慮しなくてはならない。
【０００５】
ゆえに本発明の課題は、このような形式の巻取りスピンドルであって、長く突出するチャックが運転確実に駆動可能である巻取りスピンドルを提供することである。
【０００６】
本発明の別の目的は、チャックを簡単に取り付けることができる巻取りスピンドルを提供することである。
【０００７】
この課題は、本発明によれば、前側の軸受軸とチャックとが、フランジ結合部によって互いに結合されていることによって解決される。
【０００８】
本発明の好適な発展形態は、従属請求項の特徴によって定義されている。
【０００９】
本発明は、前側の軸受軸を、比較的大きな軸直径をもってチャックに結合させることができ、これによって駆動軸の設計強度が全体として大幅に高められることによって、傑出している。このとき、軸受軸とのフランジ結合部を構成するために、チャックの全中空室を利用することができる。さらに、手間の掛かる軸・ハブ嵌合部を考慮する必要がない。駆動軸とチャックとの間における結合部は、簡単な手段によって取付けまたは取外しが可能である。
【００１０】
本発明の好適な発展形態によれば、全軸横断面がフランジ結合部のために使用される。このときフランジ結合部は、前側の軸受軸の軸ステムとチャックのハブフランジとの間に形成されている。このように構成されていると、比較的大きな外径を、駆動力の伝達のために使用することができる。このとき直径は、回転曲げモーメントに抗して作用するてこ腕を形成する。
【００１１】
軸ステムは、軸受軸に対して横方向に方向付けられた当接面を有しており、該当接面は、チャックのハブフランジにおける対応面と共に合わせ面を形成している。面による適合によって、チャックにおける偏心を好適に回避することができる。駆動軸とチャックとの互いに対する方向付けは、簡単に可能であるので、要求された偏心製造誤差を極めてより良好にクリアすることができる。
【００１２】
取付けを特に簡単にする、本発明の発展形態では、軸受軸の軸ステムとチャックのハブフランジとは、合わせ面を貫通する複数のねじによって互いに結合されている。このときねじは、好ましくは合わせ面の面にわたって均一に分配配置される。この場合合わせ面は、リング形状に形成されており、このことは特に、最小の製造誤差を維持するための製造を促進する。
【００１３】
しかしながらまた択一的に、軸受軸の軸ステムとチャックのハブフランジとを、中心に配置された１つのねじによって結合することも可能である。この場合には合わせ面は、リング形状の凹部を有しており、これによって一方では、回転曲げモーメントを受け止めるための最大外径を使用することができ、かつ他方では、確実なねじ結合を保証することができる。
【００１４】
前側の軸受軸の設計強度のために好適であることが判明している、本発明の発展形態では、軸ステムは、前側の軸受軸の軸シャンクの大径部として直接形成されている。このとき直径段部を、相応に大きな丸み部によって適合させることができる。
【００１５】
このような巻取りスピンドルの運転時に顧慮すべきことは、巻成開始から巻成終了までの間におけるパッケージ直径が様々に異なっていることに基づいて、極めて大きな回転数範囲が通過されるということである。このときまた、共振、ひいては振動荷重を惹起する固有振動にも注意を払う必要がある。したがって駆動軸の安定性のためには、相応の緩衝手段を備えた安定した支持部が、チャックの確実な駆動のために重要である。したがって本発明の特に好適な発展形態では、前側の軸受軸の前側の支持部が、軸受ブシュの内部に配置されており、軸受ブシュの周囲に、中空支持体に支持された複数のスリーブ緩衝リングが保持されている。このように構成されていると、特にころがり軸受の傾倒が回避される。支持部は、スリーブ緩衝リングを介して中空支持体に対して弾性的に支持されているので、軸受軸は中空支持体に対して、緩衝を目的として相対運動を実施することができる。
【００１６】
さらに、後ろ側の軸受軸の支持部が、軸受ブシュの内部に形成されており、このとき軸受ブシュは、複数のスリーブ緩衝リングを用いて中空支持体に対して弾性的に支持されている。このように構成されていると、駆動側からおよび被動側から発生する、駆動軸における振動荷重を、好適に緩衝することができる。
【００１７】
製造誤差とは無関係に、予め確定された緩衝特性を支持部において得るために、スリーブ緩衝リングは、好ましくは内側スリーブと、該内側スリーブを取り囲む外側スリーブとによって形成されている。内側スリーブと外側スリーブとの間には、ゴムエレメントが挟み込まれている。このように構成されていると、外側スリーブと内側スリーブとの間に配置されたゴムエレメントは、ばね緩衝エレメントを形成しており、これによって、内側スリーブと外側スリーブとの間において発生する相対運動を緩衝することができる。
【００１８】
極めて長く突出するチャックにおいて、回転曲げモーメントに起因する、駆動軸の個々の軸部分における過荷重を回避するために、本発明の特に好適な発展形態では、前側の軸受軸と後ろ側の軸受軸とは、中空支持体の内部における複数の曲げ弾性的なカップリングを介して、中間軸に結合されている。このように構成されていると、駆動軸のパワートレーンの内部において、駆動軸における屈曲なしにチャックの下降を可能にする複数の屈曲点を実現することができる。
【００１９】
軸方向における移動調節可能性および簡単な取付けを可能にするために、さらに、カップリングのうちの少なくとも１つのカップリングが、複数のクランプエレメントによって、軸の、互いに向かい合って位置する軸端部に結合されている。このような構成においても、特に前側の軸受軸の設計強度をさらに高める、相応に大きな軸直径を実現することができる。
【００２０】
次に添付の図面を参照しながら、幾つかの実施形態について、本発明に係る巻取りスピンドルを詳説する。
【図面の簡単な説明】
【００２１】
【図１】本発明に係る巻取りスピンドルの第１実施形態を概略的に示す縦断面図である。
【図２】本発明に係る巻取りスピンドルの別の実施形態を概略的に示す縦断面図である。
【図３】図３.１および図３.２は、図２に示した実施形態の駆動軸のカップリングのうちの１つをそれぞれ異なった方向から見た概略図である。
【図４】本発明に係る巻取りスピンドルのさらに別の実施形態を概略的に示す縦断面図である。
【００２２】
図１には、巻取りスピンドルの第１実施形態の一部が概略的に断面図で示されている。巻取りスピンドル２は、中空支持体１１によってスピンドル支持体１に保持されている。スピンドル支持体１において巻取りスピンドル２は、長く突出するチャック３を有しており、このチャック３は両端部において中空円筒形に形成されている。チャック３の自由端部は、そこには本発明にとって重要な部材が存在しないので、図１には示されていない。通常、チャック３の自由端部は、カバーによって閉鎖されている。
【００２３】
チャック３の、スピンドル支持体１に向けられた反対側に位置する開放した端部は、駆動軸７を収容するために働く。この駆動軸７は、前側の軸受軸７.１と後ろ側の軸受軸７.２とから形成されており、両軸受軸７.１，７.２は、焼嵌めブシュ４１を介して互いに結合されている。前側の軸受軸７.１は、フランジ結合部６を介してチャック３に回動不能に連結されている。フランジ結合部６は、本実施形態では、チャック３のハブフランジ１９と前側の軸受軸７.１の軸ステム（Wellenstumpf）１８との間に形成されている。このとき、前側の軸受軸７.１の軸シャンク２４の大径部として形成された軸ステム１８は、軸軸線に対して横方向に方向付けられた当接面２１を形成している。当接面２１には、ハブフランジ１９の対応面２０が向かい合って位置している。これによってハブフランジ１９と軸ステム１８とは、チャック軸線に対して横方向に方向付けられた合わせ面２２を形成している。軸ステム１８における当接面２１は、中央に円形の凹部４２を有しており、かつハブフランジ１９の大面積に形成された対応面２０と共に、リング形状の合わせ面２２を形成しており、この合わせ面２２は、ほぼチャック３の全内径にわたって延びている。このとき軸ステム１８とハブフランジ１９との間における結合は、複数のねじ２３によって形成される。ねじ２３はそのために接触面に均等に分配されていて、リング形状の合わせ面２２を貫通しており、これによって両部分１８，１９を互いに不動に結合することができる。
【００２４】
前側の軸受軸７.１の軸シャンク２４は、中空支持体１１の内部に進入していて、前側の支持部８.１を介して、中空支持体１１の、中空円筒形の突出部分内に、回転可能に支持されている。そのために中空支持体１１は、中空円筒形の自由端部で、チャック３の内部に進入している。チャック３の、スピンドル支持体１に向けられた端部は、突出する中空支持体１１を間隔をおいて取り囲んでおり、これによってチャック３は位置固定の中空支持体１１に対して相対的に回転することができる。
【００２５】
中空円筒形の中空支持体１１の内部には、前側の軸受軸７.１の前側の支持部８.１が配置されている。前側の支持部８.１は、本実施形態では２つのころがり軸受１３.１，１３.２によって形成されており、両ころがり軸受１３.１，１３.２は、その内レースで前側の軸受軸７.１の周囲に保持されていて、かつその外レースで軸受ブシュ１２.１に支持されている。
【００２６】
一方では静的な軸受荷重を受け止めることができるようにするため、かつ他方では臨界巻取り速度の通過時に中空支持体１１の周囲におけるチャック３の当接を回避するために、軸受ブシュ１２.１の周囲には複数のスリーブ緩衝リングが設けられている。本実施形態では、２つのスリーブ緩衝リング１４.１，１４.２が設けられており、両緩衝リング１４.１，１４.２はそれぞれ、軸受ブシュ１２.１の端部領域に配置されている。このとき特にスリーブ緩衝リングのうちの１つのスリーブ緩衝リング１４.２は、フランジ結合部６の近くに位置決めされている。軸受ブシュ１２.１は、ころがり軸受１３.２を越えて突出しているので、スリーブ緩衝リング１４.２は、軸方向においてころがり軸受１３.２に対してずらされて配置されている。
【００２７】
スリーブ緩衝リング１４.１，１４.２の構造は、同一であり、スリーブ緩衝リング１４.２の実施形態においてさらに詳しく説明する。スリーブ緩衝リング１４.２は、軸受ブシュ１２.１の周囲に保持された内側スリーブ３２を有している。内側スリーブ３２には、間隔をおいて内側スリーブ３２を取り囲む外側スリーブ３３が対応配置されており、この外側スリーブ３３は、中空支持体１１に支持されている。外側スリーブ３３と内側スリーブ３２との間には、ゴムばねとして形成されたゴムエレメント３４が配置されている。これによって内側スリーブ３２と外側スリーブ３３とは、互いに対して相対的に運動することができる。内側スリーブ３２および外側スリーブ３３は、好ましくは金属から形成されているので、ゴムエレメント２４は、加硫によって内側スリーブ３２と外側スリーブ３３との間において固定されている。ゴムばねとして作用するゴムエレメント２４は、材料およびばね緩衝特性に関して取付け箇所および取付け状況に合わせることができる。さらに、外側スリーブ３３および内側スリーブ３２は、狭い製造誤差範囲で正確に製造することができるので、スリーブ緩衝リング１４.２，１４.１の取付け時に許容不能な変形は、好適に回避される。これとは逆に、軸受ブシュ１２.１と中空支持体１１との間における取付け空間の内部における僅かな製造誤差は、ゴムエレメント２４のばね緩衝特性に不都合な影響を及ぼすことなしに、外側スリーブ３３および内側スリーブ３２の可動性によって、ある程度の範囲において補償することができる。
【００２８】
中空支持体１１の、スピンドル支持体１に直に保持されている中空円筒形の部分内には、後ろ側の軸受軸７.２の後ろ側の支持部８.２が形成されている。後ろ側の支持部８.２は、本実施形態では２つのころがり軸受１６.１，１６.２によって形成されており、両ころがり軸受１６.１，１６.２は、後ろ側の軸受軸７.２と軸受ブシュ１２.２との間に保持されている。軸受ブシュ１２.２の周囲には、２つの別のスリーブ緩衝リング１７.１，１７.２が配置されている。後ろ側の軸受軸７.２は、駆動端部で中空支持体１１の外側に進出しており、このとき駆動端部はカップリング端部１０として形成されている。したがってスピンドル駆動装置を、カップリング端部１０を介して駆動軸７に直に連結することができる。
【００２９】
巻管の収容および固定のために、チャック３は周囲に、クランプ装置４および緊締周壁５を有している。クランプ装置４および緊締周壁５は、従来技術において一般的に公知であり、ゆえにここではさらなる説明は省く。クランプ装置４および緊締周壁５は、例えば国際公開第２０１１／０８６１４２号（WO 2011/086142 A1）に基づいて構成されていてよい。したがってここでは、引用した刊行物を参照するものとして、ここにおいてさらなる説明は省く。
【００３０】
運転時において、緊締周壁５の周囲には複数の巻管が相前後して押し嵌められ、かつクランプ装置４によって固定されている。したがって巻取りスピンドル２の操作は、前側から行われるので、一般的に巻取りスピンドル２の自由端部は、前端部と呼ばれ、かつスピンドル支持体１に固定された端部は、後端部と呼ばれる。チャック３の周囲における各巻管において、糸をパッケージに巻成することができる。そのためにチャック３は、糸を巻き取るためにほぼ一定の周速度が生じるように、駆動軸７を介して駆動される。スピンドル駆動装置によって生ぜしめられたトルクは、後ろ側の軸受軸７.２および焼嵌めブシュ４１を介して前側の軸受軸７.１に伝達される。前側の軸受軸７.１は、フランジ結合部６を介してチャック３に回動不能に結合されているので、チャック３は、駆動軸７によって確定された回転数で駆動される。
【００３１】
チャック３の周囲におけるパッケージ重量の増大に連れて、チャック３は中空支持体１１に対して下降し、このときフランジ結合部６を介して曲げ回転モーメントが駆動軸７に伝達される。遮断のために、前側の軸受軸７.１と後ろ側の軸受軸７.２との間には、焼嵌めブシュ４１が設けられている。軸ステム１８によって高められた、前側の軸受軸の設計強度（Gestaltungsfestigkeit）に基づいて、前側の軸受軸７.１はチャック３の下降に対して限定的にしか追従し得ない。極めて長く突出するチャックにおいて発生する下降をバイパスするために、駆動軸は、好ましくは複数の軸部分から形成される。
【００３２】
図２には、本発明に係る巻取りスピンドルの別の実施形態が、概略的な縦断面図で示されている。図２における実施形態は、図１に示した実施形態とほぼ同一であるので、ここでは相違についてだけ述べ、その他の点については上に述べた記載を参照するものとする。
【００３３】
図２に示した本発明に係る巻取りスピンドルの実施形態では、駆動軸７は、前側の軸受軸７.１と後ろ側の軸受軸７.２とから成っており、両軸受軸７.１，７.２は、本実施形態では中間軸７.３によって互いに結合されている。そのために前側の軸受軸７.１は、前側のカップリング９.１を介して中間軸７.３に結合されていて、後ろ側の軸受軸７.２は、後ろ側のカップリング９.２を介して中間軸７.３に結合されている。前側の軸受軸７.１は、既に図１に示した実施形態について述べたフランジ結合部６を介して、チャック３に連結されていて、前側の支持部８.１を介して中空支持体１１内において支持されている。後ろ側の軸受軸７.２は、同様に上に述べた実施形態と同一に構成されており、自由なカップリング端部１０を有している。中間軸７.３は、本実施形態では中空支持体１１の内部において支持なしに保持されていて、かつその軸端部においてのみ、カップリング９.１，９.２を介して、隣接する軸受軸７.１，７.２に回動不能に連結されている。
【００３４】
カップリング９.１，９.２について説明するために、追加的に図３.１および図３.２を参照する。この図３.１および図３.２においては、カップリングのうちの１つのカップリング、ここではカップリング９.１がそれぞれ異なった方向から見た図で示されている。図３.１にはカップリング９.１が側面図で概略的に示され、図３.２にはカップリング９.１が横断面図で概略的に示されている。図面のうちの１つを特に参照するのでない限り、以下に記載の説明は両方の図面に対するものである。
【００３５】
カップリング９.１は、両端部にそれぞれクランプエレメント２６.１，２６.２を有している。これらのクランプエレメント２６.１，２６.２は、クランプ結合を介して、前側の軸受軸７.１の軸端部３０.１および中間軸７.３の軸端部３０.２に結合されている。クランプエレメント２６.１，２６.２は、カップリング手段２８を間に挟み込んでおり、このカップリング手段２８は、クランプエレメント２６.１，２６.２に不動に結合されていて、軸方向および横方向において弾性的に形成されている。しかしながら回転軸線においては、カップリング手段２８はねじり剛性に形成されているので、軸７.３，７.１の間においてはねじり剛性のトルク伝達が行われる。カップリング手段２８としては、例えば軸管エレメントまたは咬みあいエレメント（Klauenelement）を使用することができる。
【００３６】
クランプエレメント２６.１，２６.２はそれぞれ、同一に形成されている。例えば図３.１および図３.２には、ハーフシェル形の２つのクランプ部分２７.１，２７.２から形成されたクランプエレメント２６.１が示されている。クランプ部分２７.１，２７.２は、その間に嵌合孔２５を閉じ込めている。このとき嵌合孔２５は、クランプ部分２７.１，２７.２のねじ結合された状態において一種のねじ結合されたプレス座が生じるように、前側の軸受軸７.１の軸端部３０.１の外径に合わせられている。これによって前側の軸受軸７.１の全周において、ほぼ均一な単位面積当たりの接触圧を生ぜしめることができる。クランプ部分２７.１，２７.２のねじ結合は、互いに反対側に位置する２つのねじ手段２９によって行われる。このときクランプ部分２７.１，２７.２のうちの１つのクランプ部分２７.１または２７.２は、カップリング手段２８に不動に結合されている。他方のクランプ部分は、個別部材として付け加えられ、このときクランプ部分２７.１，２７.２は、前もって製造された接合対（Fuegepaar）を形成する。
【００３７】
図３.１に示すように、反対側に位置しているクランプエレメント２６.２も、同様にハーフシェル形の２つのクランプ部分２７.１，２７.２を有しており、両クランプエレメント２７.１，２７.２は、ねじ手段２９を介して互いに結合されている。
【００３８】
図２に示すように、軸受軸７.１，７.２と中間軸７.３との間におけるカップリング９.１，９.２は、本実施形態では同一に構成されている。しかしながらここで明瞭に述べておきたいのは、カップリング９.１，９.２は、必要に応じて、異なった構造形式のクランプ結合およびカップリング手段を有することも可能であるということである。カップリング９.１，９.２と軸７.１〜７.３との間におけるクランプ結合に基づいて、巻取りスピンドル２の駆動軸７の簡単な取付けが可能である。さらに、駆動軸の個々の軸部分は互いに対して軸方向において調整することができ、このことはとくに、フランジ結合部６を介したチャック３の結合を容易にする。
【００３９】
本発明に係る巻取りスピンドルの、図１および図２に示した実施形態では、チャック３は複数のねじ２３によって軸受軸７に結合されている。しかしながらまた基本的には、チャックと軸受軸との間におけるフランジ結合部を、両方の部分が１つのねじによってだけで互いにねじ結合されているように設計することも可能である。このような構成は、図４に概略的に示されている。
【００４０】
図４に示した実施形態は、図１に示した実施形態とほぼ同一であるので、ここでは単に相違についてだけ説明し、その他の点については上に述べた記載を参照するものとする。
【００４１】
前側の軸受軸７.１は、一方の端部でカップリング９によって後ろ側の軸受軸７.２に曲げ弾性的に結合されている。このときカップリング９は、好ましくはクランプエレメントを介して後ろ側の軸受軸７.２および前側の軸受軸７.１の軸端部に保持される。したがってカップリング９は、図３に示した実施形態に相応して形成されていてよい。
【００４２】
軸受軸７.１は、反対側に位置する端部に軸ステム１８を有しており、この軸ステム１８は、フランジ結合部６を介して、チャック３のハブフランジ１９に結合されている。このとき前側の軸受軸７.１の軸シャンク２４の大径部として形成された軸ステム１８は、軸軸線に対して横方向に方向付けられた当接面２１を形成している。当接面２１には、ハブフランジ１９の対応面２０が向かい合って位置している。軸ステム１８における当接面２１は、このときリング形状の凹部４２を有しているので、ハブフランジ１９の対応面２０との間には大面積の合わせ面２２が形成されており、この合わせ面２２は、リング形状の凹部４２によって中断されている。中央領域において合わせ面２２は、軸ステム１８内にねじ込まれたねじ２３によって貫通されている。このようにしてフランジ結合部６は、本実施形態では１つのねじによって形成され、チャック３のハブフランジ１９は、ねじ２３によって軸受軸７.１の軸ステム１８に結合されて保持されている。合わせ面２２の内部における接触面積は、可能な限り小さく形成されていて、許容可能な、単位面積当たりの接触圧によってしか制限されていない。
【００４３】
軸ステム１８とハブフランジ１９との間における合わせ面２２の外側の環状領域は、フランジ結合部６の最大可能な直径による支持を可能にする。これによって極めて高い回転曲げモーメントをフランジ結合部６によって受け止めることができる。
【００４４】
図４に示した本発明に係る巻取りスピンドルの実施形態は、したがってさらに良好な取付け可能性を提供し、このとき偏心（Rundlauffehler）を回避する正確な製造可能性が保証されたままである。
【００４５】
本発明に係る巻取りスピンドルは、溶融紡糸プロセスにおいて、押し出されたばかりの糸を巻き取るために使用される、すべての通常の巻取り機のために適している。例えば特に極めて長く突出するチャックを巻取り機において実現することができるので、複数の糸を同時に、チャックの周囲においてパッケージに巻成することができる。
【図１】
2018510105.tif 000003
【図２】
2018510105.tif 000004
【図３．１】
2018510105.tif 000005
【図３．２】
2018510105.tif 000006
【図４】
2018510105.tif 000007
【国際調査報告】
2018510105.tif 000008
2018510105.tif 000009
2018510105.tif 000010
2018510105.tif 000011